(57)【特許請求の範囲】
【請求項１】
温室の屋根面側を構成する上側シート（Ｓ１）の下部と温室の壁面側を構成する下側シート（Ｓ２）の上部とを挿入させる長尺な蟻溝フレーム（２）と、この蟻溝フレーム（２）に着脱自在に設ける結露水ガイドフレーム（１）と、上記蟻溝フレーム（２）内に挿入されて上側および下側となる一対の係止線条（Ｋ１），（Ｋ２）とからなり、上記蟻溝フレーム（２）を、水平底部（２１）と、この水平底部（２１）の両側辺から内側に傾斜しながら起立する一対の側部（２２），（２３）と、この一対の側部（２２），（２３）の上端間に形成される巾狭の開口と、上記一対の側部（２２），（２３）の内側に形成されて上記開口に通じる蟻溝（２０）とで構成し、上記結露水ガイドフレーム（１）を、上記蟻溝フレーム（２）に沿う長尺な傾斜片（１１）と、この傾斜片（１１）に連設されて上記蟻溝フレーム（２）に沿う長尺な係止片（１０）と、この係止片（１０）と上記傾斜片（１１）との長尺な連続部分に隔設した複数の溝（１２）とで構成し、上記蟻溝（２０）に上記下側シート（Ｓ２）の上部を挿入すると共にこの下側シート（Ｓ２）に重ねるようにして上記係止片（１０）を上記一対の側部（２２），（２３）のうち上側となる側部（２２）に当接し、この上側となる側部（２２）に当接する上記係止片（１０）を上記下側の係止線条（Ｋ２）で上記上側となる側部（２２）に押圧して定着し、次いで、上記蟻溝（２０）に定着された上記係止片（１０）および上記下側の係止線条（Ｋ２）に重ねるようにして上記上側シート（Ｓ１）の下部を上記蟻溝（２０）に挿入すると共にこの蟻溝（２０）に挿入された下側シート（Ｓ２）を上記上側の係止線条（Ｋ２）で定着し、上記係止片（１０）に連続する上記傾斜片（１１）の上面と上記上側シート（Ｓ１）の内面との間に長尺となる隙間（Ａ）を出現させると共にこの隙間（Ａ）に上記上側シート（Ｓ１）の内面に結露した結露水（Ｗ）を回収し、かつ、この回収された結露水（Ｗ）を上記溝（１２）を介して上記蟻溝（２０）に流入させると共に上記蟻溝（２０）で上記上側シート（Ｓ１）と上記下側シート（Ｓ２）との間に流入させて上記蟻溝フレーム(２)の外で上記下側シート（Ｓ２）の外面に排水させることを特徴とするシートの定着を兼ねた結露水回収装置。
【請求項２】
上記下側シート（Ｓ２）の上部が、上記上側となる側部（２２）と上記係止片（１０）とで挟持されることを特徴とする請求項１に記載のシートの定着を兼ねた結露水回収装置。
【請求項３】
上記係止片（１０）が、上記上側となる側部（２２）の全長に沿う長板状の長尺片（１０ａ）と、この長尺片（１０ａ）の上記蟻溝（２０）に位置決めされる一端に沿って上記蟻溝（２０）内に折り曲げられる折片（１０ｂ）とで断面Ｖ字状に形成されてなり、この断面Ｖ字状となる折り曲げ部に上記下側の係止線条（Ｋ２）が係合することを特徴とする請求項１または請求項２に記載のシートの定着を兼ねた結露水回収装置。
【請求項４】
上記傾斜片（１１）が、上記上側となる側部（２２）の全長に沿う長板状に形成されて上記係止片（１０）に連設すると共に上記上側シート（Ｓ１）の内面に対向してこの上側シート（Ｓ１）の内面との間に上記隙間（Ａ）を出現させる傾斜片本体（１１ａ）と、この傾斜片本体（１１ａ）の上側シート（Ｓ１）の内面から上記隙間（Ａ）を設けて離れる先端に沿って下側に湾曲する湾曲部（１１ｂ）とからなることを特徴とする請求項１、請求項２または請求項３に記載のシートの定着を兼ねた結露水回収装置。
【請求項５】
温室の屋根面側を構成する上側シート（Ｓ１）の下部と温室の壁面側を構成する下側シート（Ｓ２）の上部とを挿入させる長尺な蟻溝フレーム（２）と、この蟻溝フレーム（２）に着脱自在に設ける結露水ガイドフレーム（１Ａ）と、上記蟻溝フレーム（２）内に挿入されて上側および下側となる一対の係止線条（Ｋ１），（Ｋ２）とからなり、上記蟻溝フレーム（２）を、水平底部（２１）と、この水平底部（２１）の両側辺から内側に傾斜しながら起立する一対の側部（２２），（２３）と、この一対の側部（２２），（２３）の上端間に形成される巾狭の開口と、上記一対の側部（２２），（２３）の内側に形成されて上記開口に通じる蟻溝（２０）とで構成し、
上記結露水ガイドフレーム（１Ａ）を、上記蟻溝フレーム（２）に沿う長尺な傾斜片（１１）と、この傾斜片（１１）に連設して上記蟻溝（２０）内に挿入されると共に内側に蟻溝（１０ｃ）を有する長尺な係止部材（１０Ａ）とで構成し、
この係止部材（１０Ａ）を、この係止部材（１０Ａ）の長尺となる軸線方向に沿いながら上記蟻溝（２０）の外方に向けて延設される長尺な延設片（１０ｇ）と、この係止部材（１０Ａ）と上記傾斜片（１１）との長尺な連続部分に隔設した複数の溝（１２）とで構成し、
上記下側シート（Ｓ２）の上部を上記蟻溝（２０）に挿入すると共にこの蟻溝（２０）に挿入された下側シート（Ｓ２）に重ねるようにして上記下側の係止線条（Ｋ２）を挿入して定着し、
次いで、上記蟻溝（２０）に定着された上記下側シート（Ｓ２）および上記下側の係止線条（Ｋ２）に重ねるようにして上記係止部材（１０Ａ）を挿入し、
この係止部材（１０Ａ）の上記蟻溝（１０ｃ）内に上記上側シート（Ｓ１）の下部を挿入すると共にこの蟻溝（１０ｃ）に挿入された上側シート（Ｓ１）に重ねるようにして上記上側の係止線条（Ｋ１）を挿入して定着し、
上記係止部材（１０Ａ）に連続する上記傾斜片（１１）の上面と上記上側シート（Ｓ１）の内面との間に長尺となる隙間（Ａ）を出現させると共にこの隙間（Ａ）に上記上側シート（Ｓ１）の内面に結露した結露水（Ｗ）を回収し、かつ、この回収された結露水（Ｗ）を上記溝（１２）を介して上記蟻溝（１０ｃ）に流入させると共にこの蟻溝（１０ｃ）に流入された結露水（Ｗ）を上記延設片（１０ｇ）の外で上記下側シート（Ｓ２）の外面に排水させることを特徴とするシートの定着を兼ねた結露水回収装置。
【発明の詳細な説明】
【技術分野】
【０００１】
本発明は、多数のアーチ状のパイプなどで骨組みが構成され、この骨組み上にシートを展張させてなる温室において、シートを定着すると共に、シートの内面に結露した結露水を回収して外部に排水するシートの定着を兼ねた結露水回収装置に関する。
【背景技術】
【０００２】
一般に、上記の温室は、植物を育成するために利用され、地上に起立して列をなす複数のアーチ状のパイプからなる骨組と、パイプに直交して設けられる複数のシート定着装置と、シート定着装置に定着されて温室の屋根面、側面、妻面を構成する透明の合成樹脂からなる複数のシートとで構成される。
【０００３】
上記の温室においては、シートの内側に温室内外の温度差により結露が生じる。
【０００４】
特に、温室の屋根面を構成するシートの内面が結露すると、その結露水が温室内の土壌上に落下して、植物の根腐され、病気の原因、生育不良、温室不良を起こすため、結露水が土壌上に落下する前に回収して、温室外に排出することが要求されている。
【０００５】
そこで、特許文献１に開示されているように、屋根面側を形成する上方側のシート（以下「上側シート」という）と当該シートの下側に位置して壁面側を形成する下方側のシート（以下「下側シート」という）とを連結するように定着する蟻溝フレームに、結露水回収具を取り付けて結露水を回収し、結露水回収具に取り付けた排水ドレンを通じて結露水を温室の外側若しくは温室の外側に設けた樋に排出する方法が開発されている。
【０００６】
特許文献１にあって、結露水回収具は、蟻溝フレームの下側に装着されて蟻溝フレームから落下する結露水を回収する塵取状の本体と、この本体の底部から起立して蟻溝フレームを抱持する抱持部と、本体の底部を結露水が通過するための通路とを有してなり、この通路は、温室の外側に設けた樋へとつながる排水ドレンと通じている。
【０００７】
それゆえ、上記の特許文献１に開示の提案によれば、結露水回収具で結露水を回収し、結露水が温室内の土壌上に落下する前に温室外に排出することが可能となる。
【先行技術文献】
【特許文献】
【０００８】
【特許文献１】特開２００３−１３４９４４（図４）
【発明の概要】
【発明が解決しようとする課題】
【０００９】
しかしながら、上記した特許文献１に開示の方法にあっては、結露水回収具で結露水を回収し、この回収した結露水を排水ドレンによって温室外の樋に排出していることから、結露水が温室内の土壌上に落下する前に結露水を回収して、温室外に排水することことが可能である点で有用であるが、以下の改善が求められている。
【００１０】
即ち、上記従来の方法にあっては、排水ドレンは、その上端部を結露水回収具に取り付けられ、下端部を下側シートの下端から温室外に延ばし、樋の側壁に沿わせて配置される。
【００１１】
これにより、温室内の結露水回収具によって回収された結露水が排水ドレンを介して温室外に設置された樋に排出されるとしている。
【００１２】
しかし、上記方法にあっては、排水ドレンにより下側シートの下端が捲り上げられるため、排水ドレンの周りに隙間を生じて温室内の温度変化を引き起こし、また、上記隙間から害虫が温室内に侵入したり、さらには、温室内に放った益虫が逃げ出したりする虞がある。
【００１３】
更に、上記の結露水回収具は、蟻溝フレームに一定間隔をもって複数設けることが一般的であるため、上記の隙間が複数生じることとなる。
【００１４】
特に、下側シートの下端を巻上パイプに巻きつけて設け、下側シートの巻きつけ量を変更することにより、換気を可能にした温室において結露水回収具が複数設けられる場合には、複数の排水ドレンに対して巻上パイプが直交して支えられるため、各排水ドレンの間に樋の側壁に沿って排水ドレンの外径に相当する幅の隙間が生じ、隙間量が大きくなる不具合がある。
【課題を解決するための手段】
【００１５】
上記課題を解決するための手段は、シートの定着を兼ねた結露水回収装置が、温室の屋根面側を構成する上側シートの下部と温室の壁面側を構成する下側シートの上部とを挿入させる長尺な蟻溝フレームと、この蟻溝フレームに着脱自在に設ける結露水ガイドフレームと、上記蟻溝フレーム内に挿入されて上側および下側となる一対の係止線条とからなり、上記蟻溝フレームを、水平底部と、この水平底部の両側辺から内側に傾斜しながら起立する一対の側部と、この一対の側部の上端間に形成される巾狭の開口と、上記一対の側部の内側に形成されて上記開口に通じる蟻溝とで構成し、上記結露水ガイドフレームを、上記蟻溝フレームに沿う長尺な傾斜片と、この傾斜片に連設されて上記蟻溝フレームに沿う長尺な係止片と、この係止片と上記傾斜片との長尺な連続部分に隔設した複数の溝とで構成し、上記蟻溝に上記下側シートの上部を挿入すると共にこの下側シートに重ねるようにして上記係止片を上記一対の側部のうち上側となる側部に当接し、この上側となる側部に当接する上記係止片を上記下側の係止線条で上記上側となる側部に押圧して定着し、次いで、上記蟻溝に定着された上記係止片および上記下側の係止線条に重ねるようにして上記上側シートの下部を上記蟻溝に挿入すると共にこの蟻溝に挿入された下側シートを上記上側の係止線条で定着し、上記係止片に連続する上記傾斜片の上面と上記上側シートの内面との間に長尺となる隙間を出現させると共にこの隙間に上記上側シートの内面に結露した結露水を回収し、かつ、この回収された結露水を上記溝を介して上記蟻溝に流入させると共に上記蟻溝で上記上側シートと上記下側シートとの間に流入させて上記蟻溝フレームの外で上記下側シートの外面に排水させることを特徴とする。
【００１６】
この場合において、下側シートの上部は、蟻溝フレームにおける上側となる側部と係止片とで挟持されることが好ましい。
【００１７】
そして、上記係止片は、上側となる側部の全長に沿う長板状の長尺片と、この長尺片の蟻溝に位置決めされる一端に沿って蟻溝内に折り曲げられる折片とで断面Ｖ字状に形成されてなり、この断面Ｖ字状となる折り曲げ部に下側の係止線条が係合することが好ましい。
【００１８】
また、傾斜片は、上側となる側部の全長に沿う長板状に形成されて係止片に連設すると共に上側シートの内面に対向してこの上側シートの内面との間に隙間を出現させる傾斜片本体と、この傾斜片本体の上側シートの内面から隙間を設けて離れる先端に沿って下側に湾曲する湾曲部とからなることが好ましい。
【００１９】
また、シートの定着を兼ねた結露水回収装置は、温室の屋根面側を構成する上側シートの下部と温室の壁面側を構成する下側シートの上部とを挿入させる長尺な蟻溝フレームと、この蟻溝フレームに着脱自在に設ける結露水ガイドフレームと、蟻溝フレーム内に挿入されて上側および下側となる一対の係止線条とからなり、蟻溝フレームを、水平底部と、この水平底部の両側辺から内側に傾斜しながら起立する一対の側部と、この一対の側部の上端間に形成される巾狭の開口と、一対の側部の内側に形成されて開口に通じる蟻溝とで構成し、結露水ガイドフレームを、蟻溝フレームに沿う長尺な傾斜片と、この傾斜片に連設して蟻溝内に挿入されると共に内側に蟻溝を有する長尺な係止部材とで構成し、この係止部材を、この係止部材の長尺となる軸線方向に沿いながら蟻溝の外方に向けて延設される長尺な延設片と、この係止部材と傾斜片との長尺な連続部分に隔設した複数の溝とで構成し、下側シートの上部を蟻溝に挿入すると共にこの蟻溝に挿入された下側シートに重ねるようにして下側の係止線条を挿入して定着し、次いで、蟻溝に定着された下側シートおよび下側の係止線条に重ねるようにして係止部材を挿入し、この係止部材の蟻溝内に上側シートの下部を挿入すると共にこの蟻溝に挿入された上側シートに重ねるようにして上側の係止線条を挿入して定着し、係止部材に連続する傾斜片の上面と上側シートの内面との間に長尺となる隙間を出現させると共にこの隙間に上側シートの内面に結露した結露水を回収し、かつ、この回収された結露水を溝を介して蟻溝に流入させると共にこの蟻溝に流入された結露水を延設片の外で下側シートの外面に排水させるとしても良い。
【発明の効果】
【００２０】
請求項１に係る発明によれば、結露水ガイドフレームに隔設した溝を介して、上側シートの内面に結露した結露水を下側シートの外面に回収することが可能となり、排水ドレンを設ける必要がなく、排水ドレンの周りに隙間が発生する不具合を防止することが可能となる。
【００２１】
また、結露水回収具や排水ドレンを取り付ける必要がないことから、結露水を回収して温室外に排水することが簡便かつ安価に可能となる。
【００２２】
請求項２に係る発明によれば、下側シートの上部が、上側となる側部と係止片とで挟持されることから、下側シートの外面に結露水を排出することがより確実に可能となる。
【００２３】
請求項３に係る発明によれは、係止片が断面Ｖ字状に形成されることにより、係止片の折り曲げ部に下側の係止線条が係合し、結露水ガイドフレームを確実に蟻溝フレームに取り付けることが可能となる。
【００２４】
請求項４に係る発明によれば、傾斜片の先端に沿って湾曲部を有することにより、結露水ガイドフレームに強度を持たせることが可能となると共に、上側シートを展張する際に上側シートに傾斜片が接触したとしても、傾斜片の端部で上側シートを損傷することを防ぐことが可能となる。
【００２５】
請求項５に係る発明によれば、請求項１に係る発明における上記効果に加えて、延設片を備えることにより、係止部材の端部で下側シートを損傷することを防ぐことが可能となる。
【図面の簡単な説明】
【００２６】
【図１】本発明の一実施の形態におけるシートの定着を兼ねた結露水回収装置を温室に設けた状態を示す部分斜視図である。
【図２】本発明の一実施の形態におけるシートの定着を兼ねた結露水回収装置の使用状態を示す部分拡大斜視図である。
【図３】本発明の一実施の形態におけるシートの定着を兼ねた結露水回収装置を示す部分分解斜視図である。
【図４】本発明の一実施の形態における結露水ガイドフレームの部分斜視図である。
【図５】本発明の一実施の形態におけるシートの定着を兼ねた結露水回収装置の使用状態を示す横断面図である。
【図６】本発明のシートの定着を兼ねた結露水回収装置における傾斜片の一実施例を示す横断面線図である。
【図７】本発明のシートの定着を兼ねた結露水回収装置における傾斜片の二実施例を示横断面線図である。
【図８】本発明のシートの定着を兼ねた結露水回収装置における傾斜片の三実施例を示す横断面線図である。
【図９】本発明の他の実施の形態に係るシートの定着を兼ねた結露水回収装置を示す横断面線図である。
【図１０】本発明のさらに他の実施の形態に係るシートの定着を兼ねた結露水回収装置を示す横断面線図である。
【図１１】本発明のシートの定着を兼ねた結露水回収装置における結露水ガイドフレームの一実施例を示す斜視線図である。
【図１２】本発明のシートの定着を兼ねた結露水回収装置における結露水ガイドフレームの二実施例を示す斜視線図である。
【図１３】本発明のシートの定着を兼ねた結露水回収装置における結露水ガイドフレームの三実施例を示す斜視線図である。
【発明を実施するための形態】
【００２７】
以下、本発明に係る一実施の形態を示すシートの定着を兼ねた結露水回収装置について、図面を参照して説明する。
【００２８】
図１，図２に示すように、本発明に係るシートの定着を兼ねた結露水回収装置は、シートを定着する蟻溝フレーム２を有しており、植物等を育成するために利用される温室の骨組を構成するアーチ状のパイプＰに直交して架設されるとし、図示するところでは、蟻溝フレーム２がジョイント等の取付部材Ｇを介してパイプＰに結合されるとしている。
【００２９】
そして、蟻溝フレーム２は、温室の屋根面側を構成する上側シートＳ１の下部と、この上側シートＳ１の下方に設けられて温室の壁面側を構成する下側シートＳ２の上部とを挿入させて定着させる、つまり、言い換えれば、上側シートＳ１と下側シートＳ２を連結する。
【００３０】
図１に示すように、下側シートＳ２の下端側は、巻上パイプ３に巻き付けられており、この巻上パイプ３を図１中の矢印の方向に回転して下側シートＳ２を巻き上げると、温室に開口を出現させることが可能になり、温室の換気を行うことが可能となる。
【００３１】
巻上パイプ３は、この巻上パイプ３に直交する弾性素材からなるバンド４によって下方のパイプＰに押し付けられ、これにより、下側シートＳ２のパイプＰ上でのバタツキを防止している。
【００３２】
温室の側面には、本発明に係るシートの定着を兼ねた結露水回収装置と並列に樋５が備えられており、下側シートＳ２が巻き下げられて巻上パイプ３が樋５の温室側の側壁５ａに当接した状態にあるとき、即ち、下側シートＳ２が樋５を介して温室を密閉したとき、上側シートＳ１の内面に生じる結露水Ｗを下側シートＳ２の外面を介して回収し所定の場所に排水する。
【００３３】
尚、図１に示すように、樋５の側壁５ａの上端側に沿って蟻溝５ｂを設け、当該蟻溝５ｂにガイド５ｃを装着した場合においては、このガイド５ｃに巻上パイプ３が当接した状態にあるときに、温室を密閉状態とし、上側シートＳ１の内面に生じる結露水を下側シートＳ２の外面を介して回収することが可能となる。
【００３４】
本発明に係るシートの定着を兼ねた結露水回収装置は、図３，５に示すように、開口巾狭の長尺な蟻溝フレーム２と、この蟻溝フレーム２に着脱自在に設ける結露水ガイドフレーム１と、蟻溝フレーム２内に二重に重ねるように挿入されて上側および下側となる一対の係止線条Ｋ１、Ｋ２とからなる。
【００３５】
そして、蟻溝フレーム２は、水平底部２１と、この水平底部２１の両側辺から内側に傾斜しながら起立して内側に蟻溝２０を形成する一対の側部２２，２３とで構成される。なお、蟻溝フレーム２における一対の側部２２，２３は、図５に示すように、蟻溝フレーム２が湾曲するパイプＰの外周に沿うように言わば斜めに配置されるとき、屋根面側に位置決めされる側部が上側となる側部２２とされ、壁面側に位置決めされる側部が下側となる側部２３とされる。
【００３６】
また、結露水ガイドフレーム１は、傾斜片１１と、この傾斜片１１に連設した係止片１０と、この係止片１０と上記傾斜片１１との連続部分、つまり、傾斜片１１の基端部上面に隔設した複数の溝１２とで構成される。
【００３７】
そして、下側の係止線条Ｋ２で係止片１０を上側となる側部２２に押圧すると共に、下側に延びる下側シートＳ２の上部を蟻溝２０に定着する。
【００３８】
次いで、上側に延びる上側シートＳ１の下部を上側の係止線条Ｋ１を介して蟻溝２０に定着し、上側シートＳ１の内面に結露した結露水Ｗを上記傾斜片１１の上面と上側シートＳ１の内面との間に形成された隙間Ａ（図１、図５）に回収し、溝１２を介して下側シートＳ２の外面に排水させる。
【００３９】
当該構成を備えることにより、下側シートＳ２の外面に回収された結露水Ｗは、下側シートＳ２の外面を流下して樋５内に回収される。なお、下側シートＳ２の内面に結露した結露水Ｗは、下側シートＳ２の内面を流下して樋５の上端に沿って設けられたガイド５ｃと下側シートＳ２との間を通り、樋５内に流入する。
【００４０】
従って、結露水ガイドフレーム１に隔設した溝１２を介して、上側シートＳ１の内面に結露した結露水Ｗを下側シートＳ２の外面に回収することが可能となり、排水ドレンを設ける必要がなく、排水ドレンの周りに隙間が発生する不具合を防止することが可能となる。
【００４１】
また、結露水回収具や排水ドレンを取り付ける必要がないことから、結露水Ｗを回収して温室外に排水することが簡便かつ安価に可能となる。
【００４２】
図示しないが、特に、樋５の側壁５ａに設けた蟻溝５ｂを利用して、下側シートＳ２の下側に更にネットを重ねて展張する場合にあっては、排水ドレンが邪魔にならず、確実に害虫等の侵入を防止し、益虫が温室から逃げ出すことを防止することが可能となる。
【００４３】
以下に、本発明に係るシートの定着を兼ねた結露水回収装置の各構成部材の詳細な構成について説明する。
【００４４】
上側シートＳ１と下側シートＳ２とを定着する蟻溝フレーム２は、上記したように、水平底部２１と、この水平底部２１の両側辺から内側に上記開口に通じる蟻溝２０を形成する一対の側部２２，２３、つまり、図示するところでは、上下となる一対の側部フレーム２２，２３とで構成されており、取付部材Ｇを介して温室の骨組を構成するアーチ状のパイプＰに直交しながら結合されている。
【００４５】
蟻溝フレーム２が、蟻溝２０を備えることにより、この蟻溝２０内に上側シートＳ１の下部および下側シートＳ２の上部を挿入することが可能になると共に、を係止線条Ｋ１、Ｋ２を介して上側シートＳ１および下側シートＳ１，Ｓ２をパイプＰに沿って展張することが容易に可能となる。
【００４６】
また、蟻溝フレーム２が、蟻溝２０を有することにより、図１，図２に示すように、蟻溝２０内に嵌挿される折れ線状の弾性ばね部４ａと、このばね部４ａに延設されて蟻溝２０外に延びるフック４ｂとからなる結合部材を蟻溝フレーム２に取り付けて、フック４ｂに下側シートＳ２のバタツキを防止するバンド４の上端部を結び付けることにより、バンド４を蟻溝フレーム２の任意の位置に容易に取り付けることが可能となる。
【００４７】
また、蟻溝フレーム２が、構成を有することにより、蟻溝フレーム２の外郭を利用して、ジョイント等の取付部材Ｇを取り付けることが可能となり、汎用性に優れている。
【００４８】
蟻溝フレーム２の上部に着脱自在に引掛ける結露水ガイドフレーム１は、上記したように、傾斜片１１と、この傾斜片１１に連設した係止片１０と、この係止片１０と傾斜片１１との連続部分に、つまり、傾斜片１１の基端部上面に隔設した複数の溝１２とで構成される。
【００４９】
そして、図５に示すように、傾斜片１１は、蟻溝フレーム２における上側となる側部２２のほぼ全長に沿う長板状に形成されて係止片１０に連設すると共に上側シートＳ１の内面と対向する傾斜片本体１１ａと、この傾斜片本体１１ａの蟻溝２０に対向する先端に沿いながら蟻溝２０に向かって湾曲する湾曲部１１ｂとからなる。
【００５０】
そして、傾斜片１１にあっては、傾斜片本体１１ａ上面と上側シートＳ１の内面との間に隙間Ａを形成し、当該隙間Ａに結露水Ｗを回収する。
【００５１】
傾斜片１１が、傾斜片本体１１ａの先端に沿って湾曲部１１ｂを有することにより、結露水ガイドフレーム１に強度を持たせることが可能となると共に、上側シートＳ１を展張する際に上側シートＳ１と傾斜片１１が接触したとしても、傾斜片１１の端部、つまり、傾斜片本体１１ａの先端で上側シートＳ１を損傷することを防ぐことが可能となる。
【００５２】
尚、湾曲部１１ｂを設けることにより、上記の効果を達成することが可能となるが、この限りではなく、他の方法によって上記効果を達成するとしても良いことは勿論である。
【００５３】
例えば、傾斜片１１に強度を増すため、傾斜片１１の厚みを増したり、リブを設けたりするとしても良い。また、傾斜片１１の先端部を面取りしたり、同先端部を折り曲げて形成したりすることによっても、上側シートＳ１の損傷を防ぐことが可能となる。
【００５４】
また、傾斜片１１の形状は長板状に限らず、例えば、図６，図７に示すように曲げ部１１ｃを形成したり、図８に示すように湾曲状に形成したりするとしても良く、上側シートＳ１と傾斜片１１との間に隙間Ａを形成し得る限りにおいて適宜形状を選択することが可能である。
【００５５】
また、図１から図５には、溝１２を傾斜片１１の基端部を窪ませて設けた構成としているがこの限りではなく、傾斜片１１と上側シートＳ１との間の隙間Ａに回収した結露水Ｗを蟻溝２０内に流入させることが可能な限り、即ち、傾斜片１１の基端部が上側シートＳ１と密着することを防ぎ得る限りにおいて、適宜形状及び数量を変更することが可能である。
【００５６】
例えば、結露水ガイドフレーム１を図１１から図１３に示す形状に形成するとしても良い。
【００５７】
図１１は、傾斜片１１の基端部に複数の突起１２ａを設けた構成を示し、突起１２ａと突起１２ａの間から結露水Ｗを蟻溝２０内に流入させることが可能となる。
【００５８】
図１２は、結語水ガイドフレーム１を波板状素材で形成した構成を示し、当該方法によれば素材の高低差により傾斜片１１の基端部と上側シートＳ１とが密着せず、結露水Ｗを蟻溝２０内に流入させることが可能となる。
【００５９】
また、図示しないが、結露水ガイドフレーム１を波板状素材に替えてエンボス加工を施した素材で形成するとしても同様の効果を得ることが可能となる。
【００６０】
図１３は、傾斜片本体１１ａの先端側から係止片１０にかけて溝１２ｂを設けた構成を示し、当該溝１２ｂを介して結露水Ｗを蟻溝２０内に流入させることが可能となる。
【００６１】
また、図示しないが、溝１２ｂに代えてリブを複数設けるとしても良く、この場合においても、リブの間を結露水Ｗが通過することが可能となり、結露水Ｗを蟻溝２０内に流入させることが可能となる。
【００６２】
【００６３】
また、図示しないが、上記傾斜片１１の基端部に突設される複数のリブを設け、このリブの間から結露水Ｗを蟻溝２０内に流入させるとしても良く、その他の方法を採用することも可能である。
【００６４】
傾斜片１１の基端側に連設される係止片１０は、図４に示すように、蟻溝フレーム２の上側となる側部２２に沿う長板状の長尺片１０ａと、この長尺片１０ａの下端に沿って蟻溝２０側に折り曲げられてなる折片１０ｂとで断面Ｖ字状に形成されてなり、このＶ字状の折り曲げ部に下側の係止線条Ｋ２が係合する。
【００６５】
従って、断面Ｖ字状に形成された係止片１０の折り曲げ部に下側の係止線条Ｋ２が係合し、結露水ガイドフレーム１を確実に蟻溝フレーム２に取り付けることが可能となる。
【００６６】
尚、当該方法によれば、結露水ガイドフレーム１が蟻溝フレーム２からずれることを防止して、結露水ガイドフレーム１を確実に取り付けることが容易に可能となるが、この限りではなく、部分的に折片１０ｂを設けることにより、上記の効果を達成するとしても良い。
【００６７】
また、本実施の形態においては、上記係止片１０と、蟻溝フレーム２の上側側部フレーム２２とで下側シートＳ２の上部を挟持し、これにより、下側シートＳ２の内面に結露水Ｗが流入することを防ぎ、下側シートＳ２の外面に結露水Ｗを排出することがより確実に可能となる。
【００６８】
次に、本発明の他の実施の形態に係るシートの定着を兼ねた結露水回収装置について図９，図１０を参照して説明する。
【００６９】
この図９，図１０に示すところにおいて、その構成が前記した実施の形態における構成と同様となるところについては、各図中に同一符号を付するのみとして、詳細な説明を省略する。
【００７０】
図９，図１０は、結露水ガイドフレーム１の変形例であり、図示しないが、上側の係止線条Ｋ１で上側シートＳ１が、下側の係止線条Ｋ２で下側シートＳ２がそれぞれ定着されており、傾斜片１１の基端部には溝１２が設けられている。
【００７１】
図９に示す他の実施の形態に係る結露水ガイドフレーム１Ａは、傾斜片１１と、この傾斜片１１の基端に連設して蟻溝フレーム２の蟻溝２０内に重ねて挿入されると共に内部に蟻溝１０ｃを有する係止部材１０Ａと、この係止部材１０Ａの端部に沿って蟻溝２０の外方に向けて延設される延設片１０ｇと、傾斜片１１の基端部上面に隔設した複数の溝１２とで構成される。
【００７２】
係止部材１０Ａは、図中左右方向に伸縮可能な水平底部１０ｄと、この水平底部１０ｄの両辺から内側に傾斜しながら起立して内側に蟻溝１０ｃを形成する言わば上下となる一対の側部フレーム１０ｅ，１０ｆとで構成される。
【００７３】
延設片１０ｇは、下側シートＳ２を展張したときにその端部が下側シートＳ２と接触しない角度をもって配置され、端部には湾曲部１０ｉが設けられている。
【００７４】
そして、下側シートＳ２の上部を下側の係止線条Ｋ２を介して蟻溝フレーム２の蟻溝２０内に定着し、次いで、当該蟻溝２０内に係止部材１０Ａを挿入し、当該係止部材１０Ａの蟻溝１０ｃ内に上側シートＳ１の下部を上側の係止線条Ｋ１を介して定着する。
【００７５】
従って、上側シートＳ１の内面に結露した結露水Ｗは、溝１２を介して蟻溝２０及び係止部材１０Ａの蟻溝１０ｃ内に回収され下側シートＳ２の外面に排水される。
【００７６】
延設片１０ｇを設けることにより、係止部材１０Ａの端部で下側シートＳ２の損傷を防止することが可能となるが、この限りではなく、湾曲部１０ｉ等の傷つき防止措置を採用している場合においては、下側シートＳ２を展張したときに延設片１０ｇの端部と下側シートＳ２とが接触していても良い。
【００７７】
また、延設片１０ｇの端部に湾曲部１０ｉを設けることにより、係止部材１０Ａで下側シートＳ２を損傷することをより確実に防止することが可能となるが、その他の傷つき防止措置を採用するとしても良く、また必ずしも湾曲部１０ｉを設ける必要はない。
【００７８】
また、係止部材１０Ａの水平底部１０ｄが図中左右方向に伸縮可能であることから、側部フレーム１０ｅ，１０ｆが上側の係止線条Ｋ１で附勢されて水平底部１０ｄが図中左右方向に伸び、側部フレーム１０ｅ，１０ｆが蟻溝フレーム２の側部フレーム２２、２３に押し当てられ、係止部材１０Ａが蟻溝２０から抜け出ることを防止することが可能となる。
【００７９】
図１０に示す結露水ガイドフレーム１Ａは、図９に示す結露水ガイドフレーム１Ａと略同一の構成であるが、水平底部１０ｄが伸縮しない水平底部１０ｈである点においてのみ異なる。
【００８０】
従って、本実施の形態においては、蟻溝２０内に下側シートＳ２の上部を挿入して下側の係止線条Ｋ２を介して定着し、結露水ガイドフレーム１Ｂの係止部材１０Ａを蟻溝２０内に嵌め込むことにより、蟻溝フレーム２に結露水ガイドフレーム１Ａを取り付ける。
【００８１】
次いで、係止部材１０Ｂの蟻溝１０ｃ内に上側シートＳ１の下部を挿入して上側の係止線条Ｋ１を介して定着する。
【００８２】
従って、上側シートＳ１の内面に結露した結露水Ｗは、溝１２を介して係止部材１０Ａの蟻溝１０ｃ内に回収され、下側シートＳ２の外面に排出される。
【００８３】
本実施の形態においては、延設片１０ｇ及び湾曲部１０ｉを備えることによる上記の効果を達成することが可能であると共に、係止部材１０Ａの構成が簡単で結露水ガイドフレーム１Ａを安価に製造することが可能となる。
【００８４】
以上、本発明の実施の形態を詳細に説明したが、特許請求の範囲から逸脱することなく改造、変形及び変更を行うことができることは理解すべきである。
【符号の説明】
【００８５】
Ｇ  取付部材
Ｋ１，Ｋ２ 係止線条
Ｓ１  上側シート
Ｓ２  下側シート
Ｐ  パイプ
Ｗ  結露水
１  結露水ガイドフレーム
２  蟻溝フレーム
３  巻上パイプ
４  バンド
５  樋
１０  係止片
１０Ａ  係止部材
１１  傾斜片
１２  溝
２０  蟻溝
２１  底部
２２，２３ 側部
【図１】
0005514493.tif 000002
【図２】
0005514493.tif 000003
【図３】
0005514493.tif 000004
【図４】
0005514493.tif 000005
【図５】
0005514493.tif 000006
【図６】
0005514493.tif 000007
【図７】
0005514493.tif 000008
【図８】
0005514493.tif 000009
【図９】
0005514493.tif 000010
【図１０】
0005514493.tif 000011
【図１１】
0005514493.tif 000012
【図１２】
0005514493.tif 000013
【図１３】
0005514493.tif 000014